(57)【要約】【課題】ユーザによる編集作業を必要とせずに、取得した企画情報に基づく企画広告を、既に設定されている商品広告に代わって表示できるようにし、突発的な企画に対しても速やかに対応できるようにする。【解決手段】ＣＰＵ１１は、商品情報を取得する。ＣＰＵ１１は、取得された商品情報に基づいてＰＯＰ画像データを生成する。ＣＰＵ１１は、ＰＯＰ画像データに基づくＰＯＰ画像が継続してディスプレイ装置４０に表示されるように指示する。ＣＰＵ１１は、所定の企画商品に関する企画情報を取得する。ＣＰＵ１１は、取得された企画情報に基づいて企画商品のＰＯＰ画像データを生成する。ＣＰＵ１１は、企画商品のＰＯＰ画像データに基づいて企画商品のＰＯＰ画像がディスプレイ装置４０に継続して表示されているＰＯＰ画像に代わって表示されるようにディスプレイ装置４０に指示する。【選択図】図２
2015060072.tif 000002
【特許請求の範囲】
【請求項１】
表示装置に商品広告を表示させる表示制御装置であって、
商品情報を取得する第１取得手段と、
前記第１取得手段により取得された前記商品情報に基づいて商品広告データを生成する第１生成手段と、
前記第１生成手段により生成された商品広告データに基づく商品広告が継続して前記表示装置に表示されるように前記表示装置に指示する第１指示手段と、
ユーザが選定した商品の売価を変更して販売することを示す企画情報を取得する第２取得手段と、
前記第２取得手段により取得された企画情報に基づいて企画広告データを生成する第２生成手段と、
前記第２生成手段により生成された企画広告データに基づく企画広告が前記表示装置に継続して表示される前記商品広告に代わって表示されるように前記表示装置に指示する第２指示手段と、
を備える表示制御装置。
【請求項２】
前記第２取得手段は、前記企画情報として、前記第１取得手段により取得された前記商品情報の商品と同一の商品であって売価が異なる商品の情報を取得する請求項１に記載の表示制御装置。
【請求項３】
前記第２生成手段は、前記ユーザが選定した商品の売価が変更される旨の前記企画広告データを生成する請求項２に記載の表示制御装置。
【請求項４】
前記第２生成手段は、前記ユーザが選定した商品の変更後の売価を示す前記企画広告データを生成する請求項２又は３に記載の表示制御装置。
【請求項５】
前記第２指示手段は、前記商品の売価を変更して販売することを行う旨の告知が前記企画広告とともに前記商品広告に代わって表示されるように前記表示装置に指示する請求項１〜４の何れか一項に記載の表示制御装置。
【請求項６】
前記第２生成手段は、前記ユーザが選定した商品の売価が変更される旨の第１の企画広告データと、前記ユーザが選定した商品の変更後の売価を示す第２の企画広告データとを生成し、
前記第２指示手段は、前記商品の売価を変更して販売することを行う旨の告知と、前記第１の企画広告データに基づく第１の企画広告と、前記第２の企画広告データに基づく第２の企画広告とを所定時間毎に切り替えて表示されるように前記表示装置に指示する請求項２に記載の表示制御装置。
【請求項７】
前記企画広告の表示時間を示す表示時間情報を取得する第３取得手段と、
前記第３取得手段により取得された表示時間情報に基づいて前記企画広告の表示スケジュールを生成する第３生成手段と、
を備え、
前記第２指示手段は、前記第３生成手段により生成された前記表示スケジュールに基づいて前記企画広告が表示されるように前記表示装置に指示する請求項１〜６の何れか一項に記載の表示制御装置。
【請求項８】
表示装置に商品広告を表示させる表示制御装置のコンピュータを制御するためのプログラムであって、
前記コンピュータを、
商品情報を取得する第１取得手段、
前記第１取得手段により取得された前記商品情報に基づいて商品広告データを生成する第１生成手段、
前記第１生成手段により生成された商品広告データに基づく商品広告が継続して前記表示装置に表示されるように前記表示装置に指示する第１指示手段、
ユーザが選定した商品の売価を変更して販売することを示す企画情報を取得する第２取得手段、
前記第２取得手段により取得された企画情報に基づいて企画広告データを生成する第２生成手段、
前記第２生成手段により生成された企画広告データに基づく企画広告が前記表示装置に継続して表示される前記商品広告に代わって表示されるように前記表示装置に指示する第２指示手段、
として機能させるようにしたコンピュータ読み取り可能なプログラム。
【発明の詳細な説明】
【技術分野】
【０００１】
本発明は、表示制御装置及びプログラムに関する。
【背景技術】
【０００２】
店舗における商品等の広告表示として、広告内容を紙媒体に印刷して売り場に掲示することが行われているが、近年、表示装置による商品広告の表示が盛んになりつつある。表示装置による商品広告の表示では、広告内容を容易に変更することができるため、最新の情報を常に表示できる点で優れている。
【０００３】
このような表示装置において、出稿者から送信された出稿データについて、表示装置に表示するスケジューリングを行い、スケジュール通りに表示装置に出稿データに基づく表示を行うものがある（例えば、特許文献１）。
【先行技術文献】
【特許文献】
【０００４】
【特許文献１】特開２００９−１２２７１９号公報
【発明の概要】
【発明が解決しようとする課題】
【０００５】
従来の表示装置による広告表示において、商品広告を作成するには専門業者に依頼するか、オーサリングソフト等を使用して専門の担当者が自ら作成するのが一般的である。そのため、商品広告の作成費用及び作成時間がかかり、広告表示を行うに際してコストがかかっていた。さらには、例えば、店舗におけるタイムサービス等の緊急の特売の企画に対して速やかに対応できるようにしたいという要望もある。
【０００６】
本発明の課題は、ユーザによる編集作業を必要とせずに、取得した企画情報に基づく企画広告を、既に設定されている商品広告に代わって表示できるようにし、突発的な企画に対しても速やかに対応できるようにする。
【課題を解決するための手段】
【０００７】
請求項１に記載の発明は、表示装置に商品広告を表示させる表示制御装置であって、商品情報を取得する第１取得手段と、前記第１取得手段により取得された前記商品情報に基づいて商品広告データを生成する第１生成手段と、前記第１生成手段により生成された商品広告データに基づく商品広告が継続して前記表示装置に表示されるように前記表示装置に指示する第１指示手段と、ユーザが選定した商品の売価を変更して販売することを示す企画情報を取得する第２取得手段と、前記第２取得手段により取得された企画情報に基づいて企画広告データを生成する第２生成手段と、前記第２生成手段により生成された企画広告データに基づく企画広告が前記表示装置に継続して表示される前記商品広告に代わって表示されるように前記表示装置に指示する第２指示手段と、を備える。
【発明の効果】
【０００８】
本発明によれば、ユーザによる編集作業を必要とせずに、取得した企画情報に基づく企画広告を、既に設定されている商品広告に代わって表示できるようにし、突発的な企画に対しても速やかに対応できる。
【図面の簡単な説明】
【０００９】
【図１】表示システムの概略構成を示すブロック図である。
【図２】表示制御装置の機能的構成を示すブロック図である。
【図３】店舗端末の機能的構成を示すブロック図である。
【図４】ディスプレイ装置の機能的構成を示すブロック図である。
【図５】コンテンツ作成処理について説明するフローチャートである。
【図６】表示画面の一例について説明する図である。
【図７】ＰＯＰ画像について説明する図である。
【図８】企画コンテンツ作成処理について説明するフローチャートである。
【図９】表示画面の一例について説明する図である。
【図１０】ＰＯＰ画面について説明する図である。
【発明を実施するための形態】
【００１０】
以下に、本発明を実施するための最良の形態について図面を用いて説明する。ただし、以下に述べる実施形態には、本発明を実施するための技術的に好ましい種々の限定が付されているが、発明の範囲を以下の実施形態及び図示例に限定するものではない。
【００１１】
表示システム１は、商品等の広告表示を行うための表示システムである。
表示システム１は、図１に示すように、表示制御装置１０と、後述する企画データを表示制御装置１０に送信する本部端末２０と、店舗端末３０と、複数のディスプレイ装置４０とを備えている。これらの機器は、通信ネットワークＮを介して接続されている。通信ネットワークＮは、専用線や既存の一般公衆回線を利用して構築された通信ネットワークであり、ＬＡＮ（Local Area Network）やＷＡＮ（Wide Area Network）等の様々な回線形態を適用することが可能である。また、通信ネットワークＮには、例えば、無線ＬＡＮ、電話回線網、ＩＳＤＮ回線網、専用線、移動体通信、通信衛星回線、ＣＡＴＶ回線網等の各種通信ネットワーク網と、ＩＰネットワーク、ＶｏＩＰ（Voice over Internet Protocol）ゲートウェイ、インターネットサービスプロバイダ等が含まれる。
【００１２】
表示制御装置１０は、図２に示すように、装置全体の制御を行うＣＰＵ（Central Processing Unit）１１と、複数の操作キーを有する入力部１２と、ＣＰＵ１１に作業用のメモリ空間を提供するＲＡＭ（Random Access Memory）１３と、表示部１４と、ＣＰＵ１１が実行する制御プログラムや制御データを格納した記憶部１５と、通信部１６とを備えている。ＣＰＵ１１、入力部１２、ＲＡＭ１３、表示部１４、記憶部１５及び通信部１６は、バス１７を介して接続されている。
【００１３】
入力部１２は、カーソルキー、文字、数字入力キーおよび各種機能キー等を備えたキーボードを含む構成とし、操作者による各キーの押下入力を受け付けてその操作情報をＣＰＵ１１に出力する。また、入力部１２は、マウス等のポインティングデバイスを含み、位置入力を受け付けて操作情報としてＣＰＵ１１に出力する。
【００１４】
ＲＡＭ１３は、揮発性のメモリである。また、ＲＡＭ１３は、実行される各種プログラムやこれら各種プログラムに係るデータ等を格納するワークエリアを有する。
【００１５】
表示部１４は、ＬＣＤ（Liquid Crystal Display）等で構成され、ＣＰＵ１１から入力される情報に応じて各種表示を行う。
【００１６】
記憶部１５は、磁気記録媒体を有するＨＤＤ（Hard Disk Drive）や不揮発性の半導体メモリ等により構成されている。記憶部１５には、ＣＰＵ１１で実行されるシステムプログラムやコンテンツ作成処理プログラム等の各種処理プログラムが記憶されている。コンテンツ作成処理プログラムには、電子ＰＯＰスケジューラ１５１及び電子ＰＯＰクリエイタ１５２が含まれる。これらのプログラムは、コンピュータ読み取り可能なプログラムコードの形態で記憶部１５に格納されている。ＣＰＵ１１は、当該プログラムコードに従った動作を逐次実行する。また、記憶部１５には、これらのプログラムの実行に必要なデータ等も記憶されている。また、記憶部１５には、ＰＯＰデータベース１５３、キャビネットデータベース１５４、商品マスタ１５５、棚／キャビネット情報データベース１５６、スケジュールファイルフォルダ１５７及び画像ファイルフォルダ１５８が設けられている。
【００１７】
電子ＰＯＰスケジューラ１５１は、ディスプレイ装置４０にコンテンツ表示の時間割を設定するプログラムであり、ディスプレイ装置４０毎のコンテンツの表示スケジュールを規定するスケジュールデータを作成する。スケジュールデータは、詳しくは後述するが、スケジュールファイル及び画像ファイルの作成を指示するためのデータである。
【００１８】
電子ＰＯＰクリエイタ１５２は、コンテンツを自動作成するプログラムである。具体的には、電子ＰＯＰクリエイタ１５２は、電子ＰＯＰスケジューラ１５１で作成されたディスプレイ装置４０毎のスケジュールデータを参照して、ディスプレイ装置４０毎のスケジュールファイル及び画像ファイルを生成し、生成したスケジュールファイル及び画像ファイルをスケジュールファイルフォルダ１５７及び画像ファイルフォルダ１５８にそれぞれ格納する。スケジュールファイルフォルダ１５７及び画像ファイルフォルダ１５８にそれぞれ格納されたファイルは、店舗端末３０からの要求に応じて店舗端末３０に送信される。
【００１９】
スケジュールファイルは、あるディスプレイ装置４０で表示されるコンテンツとコンテンツの表示時間を指示するファイルである。スケジュールファイルは、テキストファイル形式になっている。スケジュールファイルは、ディスプレイ装置４０毎に作成される。
【００２０】
スケジュールファイルのファイル名とファイルの内容は、例えば、次のようになっている。
［ファイル名］＝店舗番号（４桁），ディスプレイ装置番号（３桁），スケジュールＩＤ（８桁）．ｓｃｈ
［ファイルの内容］＝０９００−２３００＿１０＿Ａ１．ｊｐｇ，Ａ２．ｊｐｇ，Ａ３．ｊｐｇ．
【００２１】
ここで、「０９００」は、表示開始時刻（９時００分）、「２３００」は表示終了時刻（２３時００分）を表している。「１０」は、各画像ファイルによる画像を１０秒ずつ表示すべきことを示している。「Ａ１．ｊｐｇ，Ａ２．ｊｐｇ，Ａ３．ｊｐｇ．」は、画像情報及び画像の表示順序を示す順序情報である。このスケジュールファイルでは、９時００分から２３時００分までの１４時間は、画像「Ａ１．ｊｐｇ」、「Ａ２．ｊｐｇ」、「Ａ３．ｊｐｇ」が順番に１０秒ずつ再生されるべきことを示している。このように、スケジュールファイルの内容は、「表示開始時刻、表示終了時刻、再生時間、１以上の画像ファイル名」となっている。
なお、同一のディスプレイ装置４０において複数のコンテンツを、表示時間を異ならせて表示させる場合には、スケジュールファイルがそれぞれについて作成される。例えば、９時００分から１２時００分までの３時間については第１のコンテンツを表示させ、１２時００から１７時００分までの５時間については第２のコンテンツを表示させ、１７時００分から２３時までの６時間については第３のコンテンツを表示させる場合には、３つのスケジュールファイルが作成されることになる。
【００２２】
画像ファイルは、スケジュールファイルで指示された画像データを内容とするファイルである。本実施の形態では、店舗端末３０によるダウンロードの便宜のため、１又は複数の画像ファイルを圧縮した圧縮ファイルに変換される。圧縮ファイルのファイル名とファイルの内容は、例えば、次のようになっている。以下のファイルは、上述したスケジュールファイルに対応している。
［ファイル名］＝店舗番号（４桁），ディスプレイ装置番号（３桁），作成年月日時分秒（１２桁）．ｌｚｈ
［ファイルの内容］＝Ａ１．ｊｐｇ，Ａ２．ｊｐｇ，Ａ３．ｊｐｇ
【００２３】
ＰＯＰデータベース１５３は、複数種類のＰＯＰデータが格納されているデータベースである。ＰＯＰデータとは、ＰＯＰ広告（Point Of Purchase Advertising；以下、ＰＯＰという場合がある）のレイアウトを示すレイアウトデータである。ＰＯＰデータは、例えば、レイアウト名称及び用紙サイズからなるヘッダ部分と、用紙方向、配置する項目、項目が配置される座標、項目の書式設定（フォント、フォントサイズ、色等）、文例等のＰＯＰのレイアウトに関する情報が格納されているレイアウト部分とから構成される印刷用のデータである。
【００２４】
キャビネットデータベース１５４は、複数のキャビネットテーブルを有するデータベースであって、複数のキャビネット番号にそれぞれ対応している。キャビネットテーブルは、商品の種類毎に設けられており、例えば、魚キャビネットテーブル、魚卵キャビネットテーブル、刺身キャビネットテーブル、貝キャビネットテーブル等を含んでいる。各キャビネットテーブルにはそれぞれ、商品を識別するコード番号である商品コードと、ＰＯＰのレイアウトの種類とを含む商品データが格納されている。
【００２５】
商品マスタ１５５は、商品マスタテーブルが格納されているデータベースである。商品マスタテーブルは、商品に関する情報が格納されたテーブルである。商品マスタテーブルは、例えば、商品コード、商品名、販売価格、棚番号等の項目を有する。商品名は、商品コードから特定される商品の名称である。販売価格は、例えば、その商品の通常時おける単価を示す。棚番号は、その商品が店舗において陳列される棚を特定する番号である。商品マスタテーブルに格納されている商品の情報は、例えば、本部端末２０等の外部装置から通信部１６を介して入力される。商品マスタテーブルへの商品の情報の格納処理はＣＰＵ１１により行われる。すなわち、本実施の形態では、ＣＰＵ１１は、商品情報を取得する第１取得手段として機能する。
【００２６】
棚／キャビネット情報データベース１５６は、棚／キャビネット情報テーブルが格納されているデータベースである。棚／キャビネット情報テーブルは、店舗端末３０が設置されている店舗における棚と、キャビネットデータベース１５４におけるキャビネットテーブルとの対応関係を示すテーブルである。すなわち、棚番号とキャビネット番号とは、棚／キャビネット情報テーブルによって対応付けられている。また、棚にはディスプレイ装置４０がそれぞれ設置されており、棚／キャビネット情報テーブルにおいて、棚番号とディスプレイ装置４０の番号とが紐づけられている。すなわち、ディスプレイ装置４０の番号とキャビネットの番号は対応付けられている。
【００２７】
スケジュールファイル及び画像ファイルは以下のようにして作成される。
【００２８】
まず、電子ＰＯＰスケジューラ１５１は、例えば、商品マスタ１５５の商品マスタテーブルの内容が更新されたことを検出すると、商品マスタ１５５の商品マスタテーブルからコンテンツに含まれる対象の商品の情報を抽出する。そして、複数種類のＰＯＰのレイアウトから使用するＰＯＰのレイアウトをＰＯＰデータベースから選択し、選択したＰＯＰのレイアウトの種類と商品マスタテーブルから抽出した商品の情報における商品コードとを対応付け、棚／キャビネット情報データベース１５６の棚／キャビネット情報テーブルを参照して商品の情報に含まれる棚番号に対応するキャビネットテーブルに格納する。そして、電子ＰＯＰスケジューラ１５１は、キャビネットテーブルに対応するディスプレイ装置４０毎にスケジュールデータを作成する。
【００２９】
続いて、電子ＰＯＰクリエイタ１５２は、スケジュールデータを参照し、キャビネットデータベース１５４における当該スケジュールデータに対応するキャビネットテーブルから各商品データを読み出す。このとき、キャビネットテーブルに格納された商品データから選択して読み出すようにしてもよい。電子ＰＯＰクリエイタ１５２は、読み出した商品データに基づいて、ＰＯＰデータベース１５３から対応するＰＯＰデータを読み出すとともに、商品マスタ１５５から当該商品について必要な情報を読み出し、これらに基づいて商品広告画像データとしてのＰＯＰの画像データを商品毎に生成する。電子ＰＯＰクリエイタ１５２は、このようにして作成された画像データをそれぞれファイル化し、上述したようにして複数のファイルを圧縮した圧縮ファイルに変換し、画像ファイルフォルダ１５８に格納する。
【００３０】
また、電子ＰＯＰクリエイタ１５２は、スケジュールデータを参照し、作成した画像データに基づいて上述したようにしてスケジュールファイルを作成し、スケジュールファイルフォルダ１５７に格納する。
【００３１】
次に、図３を参照して、店舗端末３０の機能構成を説明する。
店舗端末３０は、図３に示すように、装置全体の制御を行うＣＰＵ３１と、複数の操作キーを有する入力部３２と、ＣＰＵ３１に作業用のメモリ空間を提供するＲＡＭ３３と、表示部３４と、ＣＰＵ３１が実行する制御プログラムや制御データを格納した記憶部３５と、通信部３６とを備えている。ＣＰＵ３１、入力部３２、ＲＡＭ３３、表示部３４、記憶部３５及び通信部３６は、バス３７を介して接続されている。
【００３２】
入力部３２、ＲＡＭ３３、表示部３４及び通信部３６は、表示制御装置１０の入力部１２、ＲＡＭ１３、表示部１４及び通信部１６と同様の構成となっている。
【００３３】
記憶部３５は、磁気記録媒体を有するＨＤＤや不揮発性の半導体メモリ等により構成されている。記憶部３５には、ＣＰＵ３１で実行されるシステムプログラムや店舗端末処理プログラム等の各種処理プログラムが記憶されている。店舗端末処理プログラムには、図３に示すように、電子ＰＯＰディスプレイサーバ３５１の動作プログラムが含まれている。これらのプログラムは、コンピュータ読み取り可能なプログラムコードの形態で記憶部３５に格納されている。ＣＰＵ３１は、当該プログラムコードに従った動作を逐次実行する。また、記憶部３５には、これらのプログラムの実行に必要なデータ等も記憶されている。また、記憶部３５には、ＷＥＢブラウザ３５２、ディスプレイ用スケジュールファイルフォルダ３５３及びディスプレイ用画像ファイルフォルダ３５４が設けられている。
【００３４】
電子ＰＯＰディスプレイサーバ３５１は、各ディスプレイ装置４０の管理とコンテンツの送信を制御するプログラムである。電子ＰＯＰディスプレイサーバ３５１は、表示制御装置１０からスケジュールファイルを更新した旨の通知を、通信部３６を介して受信すると、対応するスケジュールファイル及び画像ファイルを表示制御装置１０からダウンロードし、ディスプレイ用スケジュールファイルフォルダ３５３及びディスプレイ用画像ファイルフォルダ３５４にそれぞれ格納する。また、電子ＰＯＰディスプレイサーバ３５１は、通信部３６を介して各ディスプレイ装置４０に対し、各ディスプレイ装置４０で表示すべき画像の画像ファイル及びスケジュールファイルを送信する。
【００３５】
ＣＰＵ３１は、記憶部３５に記憶されているシステムプログラムを読み出し、ＲＡＭ３３のワークエリアに展開し、該システムプログラムに従って各部を制御する。また、ＣＰＵ３１は、記憶部３５に記憶されている店舗端末処理プログラムを読み出してワークエリアに展開し、店舗端末３０側の処理を実行する。
【００３６】
次に、図４を参照して、表示装置としてのディスプレイ装置４０の機能構成を説明する。ディスプレイ装置４０は、図４に示すように、ＲＡＭ及びＲＯＭを含んで構成されて装置の全体的な制御を行う制御部４１と、プレイヤ部４２と、ＬＣＤ等で構成される表示部４３と、通信ネットワークＮに接続されて、通信ネットワークＮ上の店舗端末３０との通信を行う通信部４４とを備えている。
【００３７】
プレイヤ部４２は、店舗端末３０から受信した画像ファイル及びスケジュールファイルに基づいて画像データを表示部４３に送出する。そのため、表示部４３には、スケジュールファイルにしたがって、１又は複数の画像ファイルに基づく画像が切り替えながら表示される。
【００３８】
次に、上述のようにして構成された表示制御装置１０のＣＰＵ１１にて実行されるコンテンツ作成処理について図５を参照しながら説明する。コンテンツ作成処理は、例えば、商品マスタ１５５の商品マスタテーブルが更新されたときに実行される処理である。
この実施形態において、コンテンツとは、表示装置に商品広告を表示させるための表示コンテンツを意味する。
【００３９】
まず、ＣＰＵ１１は、商品マスタ１５５の商品マスタテーブルから表示するコンテンツに含まれる対象の商品の商品情報を抽出する（ステップＳ１０１）。コンテンツに含まれる対象の商品は、例えば、予め設定することができる。
【００４０】
ＣＰＵ１１は、上述したようにして、抽出した商品情報に含まれる商品コードと使用するＰＯＰのレイアウトの種類を示す情報とに基づいて商品データを作成し（ステップＳ１０２）、商品情報に含まれる棚番号に対応するキャビネットテーブルに作成した商品データを格納する（ステップＳ１０３）。
【００４１】
ＣＰＵ１１は、未処理の商品があるか否かを判定する（ステップＳ１０４）。すなわち、ＣＰＵ１１は、商品データが作成されていない商品があるか否かを判定する。ＣＰＵ１１は、未処理の商品があると判定したときは（ステップＳ１０４：Ｙ）、ステップＳ１０１の処理を実行し、コンテンツに含まれる対象の商品の全てについて商品データが作成されるまで、ステップＳ１０１〜ステップＳ１０４の処理を繰り返し実行する。
【００４２】
一方、ＣＰＵ１１は、未処理の商品があると判定しないとき、すなわち、コンテンツに含まれる対象の商品の全てについて商品データが作成されたと判定したときは（ステップＳ１０４：Ｎ）、上述したようにしてスケジュールデータを作成する（ステップＳ１０５）。
【００４３】
ＣＰＵ１１は、スケジュールデータの作成にあたり、図６に示すような表示画面２３を表示部１４に表示する。表示画面２３には、キャビネット大部門表示欄２３１と、キャビネット名表示欄２３２と、プレビュー表示欄２３３と、個別商品欄２３４と、抽出条件指定欄２３５と、表示時間指定欄２３７と、選択ボタン２３８と、閉じるボタン２３９とが設けられている。キャビネット大部門表示欄２３１は、例えば、青果、精肉、鮮魚、加食、菓子等のキャビネットの大部門を選択するための欄である。キャビネット名表示欄２３２は、キャビネット大部門の直下の個別のキャビネットを選択するための欄である。例えば、魚キャビネット、魚卵キャビネット、刺身キャビネット、貝キャビネット等を選択することができる。これらの個別のキャビネットがそれぞれキャビネットテーブルに対応付けられている。プレビュー表示欄２３３は、個別商品のＰＯＰ画像のイメージをプレビュー表示するための欄である。個別商品欄２３４は、商品データと、大部門、産地・生産者等の各種情報とが格納されている。この個別商品欄２３４に格納されている情報がキャビネットテーブルに格納されているデータと対応している。また、個別商品欄２３４には、チェックボックスが備えられている。抽出条件指定欄２３５は、例えば、企画（特売）指定及びタイムセールス指定を行うためのチェックボックスを備えている。企画（特売）指定にチェックを入れると、企画商品（特売商品）のみコンテンツを作成する旨の指定を行うことができる。また、タイムセールス指定にチェックを入れると、タイムセール商品のみコンテンツを作成する旨の指定を行うことができる。
【００４４】
表示時間指定欄２３７は、後述するコンテンツの表示時間を指定するための欄である。デフォルトチェックボックスにチェックを入れると、コンテンツの各画像の表示時間が、例えば、デフォルト値である１０秒に指定される。また、ドロップダウンリストを用いてその表示時間を変更することもできる。
【００４５】
選択ボタン２３８は、コンテンツに含める商品を指定するためのボタンである。具体的には、個別商品欄２３４の所定のチェックボックスにチェックを入れた状態にて、選択ボタン２３８が操作されることにより、コンテンツに含める商品を指定することができる。
ＣＰＵ１１は、上述したようにして表示画面２３において設定された結果に基づいてキャビネットテーブル毎のスケジュールデータを作成する。
【００４６】
次に、ＣＰＵ１１は、コンテンツを作成するキャビネットテーブルを選択する（ステップＳ１０６）。続いて、ＣＰＵ１１は、選択したキャビネットテーブルに対応するスケジュールデータを参照して当該キャビネットテーブルからコンテンツに含める商品を選択する（ステップＳ１０７）。具体的には、ＣＰＵ１１は、キャビネットテーブルに含まれる商品から、上述したようにして表示画面２３を操作することにより選択された商品を選択する。
【００４７】
ＣＰＵ１１は、選択された商品の商品データをキャビネットテーブルから読み出す（ステップＳ１０８）。ＣＰＵ１１は、読み出した商品データに基づき、上述した要領でＰＯＰ画像データを作成する（ステップＳ１０９）。ＰＯＰ画像データは、例えば、図６の表示画面２３におけるプレビュー表示欄２３３に示されるような画像（ＰＯＰ画像）を表示するための画像データである。ＣＰＵ１１は、作成したＰＯＰ画像データを、例えば、ＪＰＥＧ（Joint Photographic Experts Group）形式のフォーマットの画像ファイルに変換する（ステップＳ１１０）。なお、画像ファイルの形式は、ＢＭＰやＴＩＦＦ（Tagged Image File Format）等、他のフォーマット形式であってもよい。
【００４８】
ＣＰＵ１１は、未処理の商品があるか否かを判定する（ステップＳ１１１）。すなわち、ＣＰＵ１１は、当該キャビネットテーブルにおいて、コンテンツに含める商品の全てについて画像ファイルが作成されたか否かを判定する。ＣＰＵ１１は、未処理の商品があると判定したときは（ステップＳ１１１：Ｙ）、ステップＳ１０７の処理を実行し、当該キャビネットテーブルにおいて、コンテンツに含める商品の全てについて画像ファイルが作成されるまで、ステップＳ１０７〜ステップＳ１１１の処理を繰り返し実行する。一方、ＣＰＵ１１は、未処理の商品があると判定しないときは（ステップＳ１１１：Ｎ）、ステップＳ１１２の処理を実行する。
【００４９】
次に、ＣＰＵ１１は、上述したようにして作成した１又は複数の画像ファイルをまとめて圧縮して圧縮ファイルを生成する（ステップＳ１１２）。ＣＰＵ１１は、圧縮した画像ファイル（圧縮ファイル）を画像ファイルフォルダ１５８に格納する（ステップＳ１１３）。
【００５０】
続いて、ＣＰＵ１１は、スケジュールデータを参照し、作成したＰＯＰ画像データに基づいて上述したようにしてスケジュールファイルを作成する（ステップＳ１１４）。ＣＰＵ１１は、作成したスケジュールファイルをスケジュールファイルフォルダ１５７に格納する（ステップＳ１１５）。
【００５１】
ＣＰＵ１１は、未処理のキャビネットがあるか否かを判定する（ステップＳ１１６）。すなわち、ＣＰＵ１１は、未だ画像ファイルの作成を行っていないキャビネットテーブルがあるか否かを判定する。ＣＰＵ１１は、未処理のキャビネットがあると判定したときは（ステップＳ１１６：Ｙ）、ステップＳ１０６の処理を実行し、全てのキャビネットテーブルについて画像ファイルの作成が完了するまで、ステップＳ１０６〜ステップＳ１１６の処理を繰り返し実行する。一方、ＣＰＵ１１は、未処理のキャビネットがあると判定しないときは（ステップＳ１１６：Ｎ）、店舗端末３０にスケジュールファイルを更新した旨の通知を行った後（ステップＳ１１７）、この処理を終了する。
【００５２】
上述したようにして、スケジュールファイルと画像ファイルとが店舗端末３０に送信され、店舗端末３０が各ディスプレイ装置４０に、それぞれに対応するスケジュールファイル及び画像ファイルを送信すると、各ディスプレイ装置４０では、スケジュールファイルに示す情報にしたがってＰＯＰ画像を切り替え表示する。より具体的には、各ディスプレイ装置４０の制御部４１は、店舗端末３０からスケジュールファイルと画像ファイルとを受信すると、圧縮されている画像ファイルを解凍し、スケジュールファイルに示される表示開始時刻となるまで当該コンテンツの表示を待機する。制御部４１は、表示開始時刻となると、コンテンツの表示を開始する。すなわち、制御部４１は、受信した画像ファイルに基づくＰＯＰ画像をスケジュールファイルの内容にしたがって切り替え表示する。
【００５３】
ここで、ディスプレイ装置４０の表示部４３に表示されるコンテンツの例について、図７を参照しながら説明する。表示部４３には、スケジュールファイルの内容に従い、例えば、図７（ａ）〜（ｆ）の６つのＰＯＰ画像が所定時間（例えば、１０秒）毎に切り替えて表示され、これがスケジュールファイルに示される表示開始時刻となってから表示終了時刻となるまで繰り返し行われる。
【００５４】
このように、本実施の形態では、ＣＰＵ１１は、第１取得手段により取得された商品情報に基づいて商品広告データを生成する第１生成手段として機能する。
また、本実施の形態では、ＣＰＵ１１は、第１生成手段により生成された商品広告データに基づく商品広告が継続して表示装置に表示されるように表示装置に指示する第１指示手段として機能する。
【００５５】
このように、本実施の形態では、例えば、コンテンツ作成業者に依頼したり、専門の担当者を置き、オーサリングソフト等を用いてコンテンツを作成したりする必要がなく、安価で広告効果の高いコンテンツを提供することができる。
【００５６】
本実施の形態では、上述したようにしてコンテンツを表示開始時刻から表示終了時刻まで表示させることができるが、コンテンツの継続表示中において、例えば、緊急で特売等の企画セールを一定期間実施したい場合に、ディスプレイ装置４０にてその内容を速やかに告知したい場合がある。そのため、本実施の形態では、以下のようにして企画セールのコンテンツを作成し、継続表示中のコンテンツに割り込んで表示させるようにしている。
【００５７】
次に、表示制御装置１０のＣＰＵ１１にて実行される企画コンテンツ作成処理について図８を参照しながら説明する。企画コンテンツ作成処理は、例えば、本部端末２０からの企画セールを実施する旨の企画データが送信されたときに実行される処理である。
【００５８】
まず、ＣＰＵ１１は、受信した企画データを読み込む（ステップＳ２０１）。企画データには、特売等の企画の対象である商品の商品コード及び当該商品の企画上の売価（企画売価）と、当該企画の実施期間を示す表示時間情報とが含まれている。ここで、企画売価は、商品マスタ１５５の商品マスタテーブルに格納されている商品の販売価格とは異なっている。
このように、本実施の形態では、ＣＰＵ１１は、ユーザが選定した商品の売価を変更して販売することを示す企画情報を取得する第２取得手段として機能する。
また、ＣＰＵ１１は、企画広告の表示時間を示す表示時間情報を取得する第３取得手段として機能する。
【００５９】
ＣＰＵ１１は、商品マスタ１５５の商品マスタテーブルから企画対象商品の商品情報を抽出する（ステップＳ２０２）。具体的には、ＣＰＵ１１は、企画データに含まれる商品コードと合致する商品の商品情報を商品マスタテーブルから抽出する。
【００６０】
ＣＰＵ１１は、上述したようにして、抽出した商品情報に含まれる商品コードと使用するＰＯＰのレイアウトの種類を示す情報とに基づいて商品データを作成し（ステップＳ２０３）、商品情報に含まれる棚番号に対応するキャビネットテーブルに作成した商品データを格納する（ステップＳ２０４）。ここで、選択されるＰＯＰのレイアウトは、特売等の企画用のＰＯＰのレイアウトとなる。本実施の形態では、例えば、通常単価が変更される旨を示すためのＰＯＰのレイアウトと、企画売価を示すためのＰＯＰのレイアウトの２つのレイアウトが商品毎に選択される。
【００６１】
ＣＰＵ１１は、未処理の商品があるか否かを判定する（ステップＳ２０５）。すなわち、ＣＰＵ１１は、商品データが作成されていない企画対象商品があるか否かを判定する。ＣＰＵ１１は、未処理の商品があると判定したときは（ステップＳ２０５：Ｙ）、ステップＳ２０２の処理を実行し、企画対象商品の全てについて商品データが作成されるまで、ステップＳ２０２〜ステップＳ２０５の処理を繰り返し実行する。
【００６２】
一方、ＣＰＵ１１は、未処理の処理があると判定しないとき、すなわち、企画対象商品の全てについて商品データが作成されたと判定したときは（ステップＳ２０５：Ｎ）、スケジュールデータを作成する（ステップＳ２０６）。
【００６３】
ＣＰＵ１１は、スケジュールデータの作成にあたり、図９に示すような表示画面２３を表示部１４に表示する。図９に示される表示画面２３において、キャビネット名表示欄２３２には、青果のキャビネットの大部門の直下のキャビネットである根菜キャビネット、葉物キャビネット及び果物キャビネットが選択可能に表示されている。図９に示す表示画面２３においては、果物キャビネットが選択されていることがわかる。そして、個別商品欄２３４には、果物キャビネットテーブルに格納されている商品の商品データと、大部門、産地・生産者等の各種情報とが表示されている。ここで、抽出条件指定欄２３５の企画（特売）指定のチェックボックスにチェックが入れられているため、個別商品欄２３４には、企画対象商品のみが表示されている。したがって、この場合には、企画対象商品のみコンテンツを作成する旨の指定が行われていることがわかる。
【００６４】
次に、ＣＰＵ１１は、コンテンツを作成するキャビネットテーブルを選択する（ステップＳ２０７）。続いて、ＣＰＵ１１は、選択したキャビネットテーブルに対応するスケジュールデータを参照して当該キャビネットテーブルから企画対象商品の商品データを読み出す（ステップＳ２０８）ＣＰＵ１１は、読み出した商品データに基づき、上述した要領でＰＯＰ画像データを作成する（ステップＳ２０９）。ここで作成されるＰＯＰ画像データは、上述したように、商品毎に２つとなっている。ＣＰＵ１１は、作成したＰＯＰ画像データを、例えば、ＪＰＥＧ形式のフォーマットの画像ファイルに変換する（ステップＳ２１０）。
【００６５】
ＣＰＵ１１は、未処理の商品があるか否かを判定する（ステップＳ２１１）。すなわち、ＣＰＵ１１は、当該キャビネットテーブルにおいて、企画対象商品のすべてについて画像ファイルが作成されたか否かを判定する。ＣＰＵ１１は、未処理の商品があると判定したときは（ステップＳ２１１：Ｙ）、ステップＳ２０８の処理を実行し、当該キャビネットテーブルにおいて、企画対象商品の全てについて画像ファイルが作成されるまで、ステップＳ２０８〜ステップＳ２１１の処理を繰り返し実行する。一方、ＣＰＵ１１は、未処理の商品があると判定しないときは（ステップＳ２１１：Ｎ）、ステップＳ２１２の処理を実行する。
【００６６】
次に、ＣＰＵ１１は、告知画像データを作成する（ステップＳ２１２）。具体的には、ＣＰＵ１１は、ＰＯＰデータベース１５３に格納されているＰＯＰデータのうち、例えば、緊急タイムセール等の企画販売が行われる旨を告知するためのレイアウトデータを読み出し、企画データに含まれる実施期間を示す情報等に基づき、例えば、図１０（ａ）に示すような告知画像の画像データを作成する。作成した画像データは、ＪＰＥＧ形式のフォーマットの画像ファイル（告知画像ファイル）に変換される。
【００６７】
続いて、ＣＰＵ１１は、上述したようにして作成した１又は複数の画像ファイルを告知画像ファイルとともにまとめて圧縮して圧縮ファイルを生成する（ステップＳ２１３）。ＣＰＵ１１は、圧縮ファイルを画像ファイルフォルダ１５８に格納する（ステップＳ２１４）。
【００６８】
続いて、ＣＰＵ１１は、企画データから企画の実施期間、すなわち、コンテンツの再生期間を取得する（ステップＳ２１５）。そして、ＣＰＵ１１は、スケジュールデータを参照し、作成したＰＯＰ画像データに基づいてスケジュールファイルを作成する（ステップＳ２１６）。ＣＰＵ１１は、作成したスケジュールファイルをスケジュールファイルフォルダ１５７に格納する（ステップＳ２１７）。
【００６９】
ＣＰＵ１１は、未処理のキャビネットがあるか否かを判定する（ステップＳ２１８）。すなわち、ＣＰＵ１１は、未だ画像ファイルの作成を行っていないキャビネットテーブルがあるか否かを判定する。ＣＰＵ１１は、未処理のキャビネットがあると判定したときは（ステップＳ２１８：Ｙ）、ステップＳ２０７の処理を実行し、全てのキャビネットテーブルについて画像ファイルの作成が完了するまで、ステップＳ２０７〜ステップＳ２１８の処理を繰り返し実行する。一方、ＣＰＵ１１は、未処理のキャビネットがあると判定しないときは（ステップＳ２１８：Ｎ）、店舗端末３０にスケジュールファイルを更新した旨の通知を行った後（ステップＳ２１９）、この処理を終了する。
【００７０】
上述したようにして、企画セール用のスケジュールファイルと画像ファイルとが店舗端末３０に送信され、店舗端末３０が各ディスプレイ装置４０に、それぞれに対応するスケジュールファイル及び画像ファイルを送信すると、各ディスプレイ装置４０では、スケジュールファイルの示す表示開始時刻となるまで、当該スケジュールファイルと画像ファイルとを所定の記憶領域に保存しておく。そして、各ディスプレイ装置４０の制御部４１は、表示開始時刻となると、継続表示中のコンテンツを中断し、企画セールのスケジュールファイルに示す情報にしたがってＰＯＰ画像を切り替え表示する。すなわち、制御部４１は、企画セール用のコンテンツを表示する。このとき、制御部４１は、表示していたコンテンツのスケジュールファイルと画像ファイルとを所定の記憶領域に保存しておき、企画セールのコンテンツの表示終了時刻後に当該コンテンツの表示を再開可能な状態にしておく。例えば、制御部４１は、表示開始時刻が９時００分で、表示終了時刻が２３時００分であるコンテンツの継続表示中に、表示開始時刻が１６時００分で、表示終了時刻が１８時００分である企画セール用のコンテンツに係るスケジュールファイルと画像ファイルとを受信した後、企画セール用のコンテンツの表示開始時刻である１６時００分となった場合には、継続表示中のコンテンツに割り込んで企画セール用のコンテンツの表示を開始する。その後、表示終了時刻である１８時００分になると、企画セール用のコンテンツの表示を終了し、中断していたコンテンツの表示を再開する。
【００７１】
ここで、ディスプレイ装置４０の表示部４３に表示される企画セール用のコンテンツの例について、図１０を参照しながら説明する。表示部４３には、スケジュールファイルの内容に従い、例えば、図１０（ａ）〜（ｇ）の７つのＰＯＰ画像が所定時間（例えば、１０秒）毎に切り替えて表示され、これがスケジュールファイルに示される表示開始時刻となってから表示終了時刻となるまで繰り返し行われる。
【００７２】
より具体的には、まず、図１０（ａ）に示されるように、企画販売が行われる旨の告知画像が表示される。その後、例えば、図１０（ｂ）に示されるように、いちごの通常単価が変更される旨のＰＯＰ画像が表示される。このＰＯＰ画像は、通常単価である５９８円から割引が行われることを示すために５９８円に二重取消線が表示されたＰＯＰ画像である。引き続いて、図１０（ｃ）に示されるように、いちごの企画売価を示すためのＰＯＰ画像が表示される。すなわち、値引き後の売価が表示されたＰＯＰ画像が表示される。その後は、同様に、図１０（ｄ）に示されるように、マンゴーの通常単価が変更される旨のＰＯＰ画像を表示した後、図１０（ｅ）に示されるように、マンゴーの企画売価を示すためのＰＯＰ画像が表示される。そして、図１０（ｆ）に示されるように、柿の通常単価が変更される旨のＰＯＰ画像を表示した後、図１０（ｇ）に示されるように、柿の企画売価を示すためのＰＯＰ画像が表示される。その後は、図１０（ａ）〜（ｇ）の各ＰＯＰ画像が繰り返し表示される。
【００７３】
このように、本実施の形態では、ＣＰＵ１１は、第２取得手段により取得された企画情報に基づいて企画広告データを生成する第２生成手段として機能する。
また、ＣＰＵ１１は、第２生成手段により生成された企画広告データに基づく企画広告が表示装置に継続して表示される商品広告に代わって表示されるように表示装置に指示する第２指示手段として機能する。
また、ＣＰＵ１１は、第３取得手段により取得された表示時間情報に基づいて企画広告の表示スケジュールを生成する第３生成手段として機能する。
【００７４】
以上説明したように、本実施の形態によれば、ＣＰＵ１１は、商品情報を取得する。ＣＰＵ１１は、取得された商品情報に基づいてＰＯＰ画像データを生成する。ＣＰＵ１１は、ＰＯＰ画像データに基づくＰＯＰ画像が継続してディスプレイ装置４０に表示されるように指示する。ＣＰＵ１１は、所定の企画商品に関する企画情報を取得する。ＣＰＵ１１は、取得された企画情報に基づいて企画商品のＰＯＰ画像データを生成する。ＣＰＵ１１は、企画商品のＰＯＰ画像データに基づいて企画商品のＰＯＰ画像がディスプレイ装置４０に継続して表示されているＰＯＰ画像に代わって表示されるようにディスプレイ装置４０に指示する。その結果、ユーザによる編集作業を必要とせずに、取得した企画情報に基づく企画広告を、既に設定されている商品広告に代わって表示できるようにし、突発的な企画に対しても速やかに対応できる。
【００７５】
また、本実施の形態によれば、ＣＰＵ１１は、企画情報として、取得された商品情報の商品と同一の商品であって売価が異なる商品の情報を取得する。その結果、商品の特売における売価設定を容易に行うことができる。
【００７６】
また、本実施の形態によれば、ＣＰＵ１１は、ユーザが選定した商品の売価が変更される旨のＰＯＰ画像データを生成する。その結果、商品の売価が特売により変更される旨を顧客等に認識させることができ、広告効果を向上させることができる。
【００７７】
また、本実施の形態によれば、ＣＰＵ１１は、ユーザが選定した商品の変更後の売価を示すＰＯＰ画像データを生成する。その結果、特売等の企画セールにより売価が変更されたことを容易に認識させることができ、広告効果を向上させることができる。
【００７８】
また、本実施の形態によれば、商品の売価を変更して販売することを行う旨の告知が企画商品のＰＯＰ画像とともにＰＯＰ画像に代わって表示されるようにディスプレイ装置４０に指示する。その結果、特売等の企画セールであることを容易に認識させることができ、広告効果を向上させることができる。
【００７９】
また、本実施の形態によれば、ＣＰＵ１１は、ユーザが選定した商品の売価が変更される旨の第１の企画商品のＰＯＰ画像データと、ユーザが選定した商品の変更後の売価を示す第２の企画商品のＰＯＰ画像データとを生成する。ＣＰＵ１１は、商品の売価を変更して販売することを行う旨の告知と、第１の企画商品のＰＯＰ画像データに基づく第１の企画商品のＰＯＰ画像と、第２の企画商品のＰＯＰ画像データに基づく第２の企画商品のＰＯＰ画像とを所定時間毎に切り替えて表示されるようにディスプレイ装置４０に指示する。その結果、特売等の企画セールであることを効果的に認識させることができ、広告効果を飛躍的に向上させることができる。
【００８０】
ＣＰＵ１１は、企画商品のＰＯＰ画像の表示時間を示す表示時間情報を取得する。ＣＰＵ１１は、取得された表示時間情報に基づいて企画商品のＰＯＰ画像の表示スケジュールを生成する。ＣＰＵ１１は、生成された表示スケジュールに基づいて企画商品のＰＯＰ画像が表示されるようにディスプレイ装置４０に指示する。その結果、特売等の企画セールの広告を行う時間を定めることができ、広告効果を向上させることができる。
【００８１】
なお、上記実施形態における記述内容は、本発明に係る表示制御装置の好適な一例であり、これに限定されるものではない。
【００８２】
また、本実施の形態では、本部端末２０と店舗端末３０とを別途に設けるようにしたが、一体であってもよい。
【００８３】
また、本実施の形態では、企画セール用のコンテンツの表示において、商品の通常単価が変更される旨のＰＯＰ画像の表示を行うようにしたが、表示しないようにしてもよい。
また、本実施の形態では、企画セール用のコンテンツの表示において、告知画像を表示するようにしたが、表示しないようにしてもよい。
【００８４】
また、本実施の形態では、特売等の企画セールにおいてのみ販売される商品についてのＰＯＰ画像データを作成して企画セール用のコンテンツに含めるようにしてもよい。
【００８５】
また、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００８６】
その他、表示制御装置を構成する各装置の細部構成及び細部動作に関しても、発明の趣旨を逸脱することのない範囲で適宜変更可能である。
【００８７】
本発明の実施の形態及び変形例を説明したが、本発明の範囲は、上述の実施の形態及び変形例に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
表示装置に商品広告を表示させる表示制御装置であって、
商品情報を取得する第１取得手段と、
前記第１取得手段により取得された前記商品情報に基づいて商品広告データを生成する第１生成手段と、
前記第１生成手段により生成された商品広告データに基づく商品広告が継続して前記表示装置に表示されるように前記表示装置に指示する第１指示手段と、
ユーザが選定した商品の売価を変更して販売することを示す企画情報を取得する第２取得手段と、
前記第２取得手段により取得された企画情報に基づいて企画広告データを生成する第２生成手段と、
前記第２生成手段により生成された企画広告データに基づく企画広告が前記表示装置に継続して表示される前記商品広告に代わって表示されるように前記表示装置に指示する第２指示手段と、
を備える表示制御装置。
＜請求項２＞
前記第２取得手段は、前記企画情報として、前記第１取得手段により取得された前記商品情報の商品と同一の商品であって売価が異なる商品の情報を取得する請求項１に記載の表示制御装置。
＜請求項３＞
前記第２生成手段は、前記ユーザが選定した商品の売価が変更される旨の前記企画広告データを生成する請求項２に記載の表示制御装置。
＜請求項４＞
前記第２生成手段は、前記ユーザが選定した商品の変更後の売価を示す前記企画広告データを生成する請求項２又は３に記載の表示制御装置。
＜請求項５＞
前記第２指示手段は、前記商品の売価を変更して販売することを行う旨の告知が前記企画広告とともに前記商品広告に代わって表示されるように前記表示装置に指示する請求項１〜４の何れか一項に記載の表示制御装置。
＜請求項６＞
前記第２生成手段は、前記ユーザが選定した商品の売価が変更される旨の第１の企画広告データと、前記ユーザが選定した商品の変更後の売価を示す第２の企画広告データとを生成し、
前記第２指示手段は、前記商品の売価を変更して販売することを行う旨の告知と、前記第１の企画広告データに基づく第１の企画広告と、前記第２の企画広告データに基づく第２の企画広告とを所定時間毎に切り替えて表示されるように前記表示装置に指示する請求項２に記載の表示制御装置。
＜請求項７＞
前記企画広告の表示時間を示す表示時間情報を取得する第３取得手段と、
前記第３取得手段により取得された表示時間情報に基づいて前記企画広告の表示スケジュールを生成する第３生成手段と、
を備え、
前記第２指示手段は、前記第３生成手段により生成された前記表示スケジュールに基づいて前記企画広告が表示されるように前記表示装置に指示する請求項１〜６の何れか一項に記載の表示制御装置。
＜請求項８＞
表示装置に商品広告を表示させる表示制御装置のコンピュータを制御するためのプログラムであって、
前記コンピュータを、
商品情報を取得する第１取得手段、
前記第１取得手段により取得された前記商品情報に基づいて商品広告データを生成する第１生成手段、
前記第１生成手段により生成された商品広告データに基づく商品広告が継続して前記表示装置に表示されるように前記表示装置に指示する第１指示手段、
ユーザが選定した商品の売価を変更して販売することを示す企画情報を取得する第２取得手段、
前記第２取得手段により取得された企画情報に基づいて企画広告データを生成する第２生成手段、
前記第２生成手段により生成された企画広告データに基づく企画広告が前記表示装置に継続して表示される前記商品広告に代わって表示されるように前記表示装置に指示する第２指示手段、
として機能させるようにしたコンピュータ読み取り可能なプログラム。
【符号の説明】
【００８８】
１  表示システム
１０  表示制御装置
１１  ＣＰＵ
１５  記憶部
１５１  電子ＰＯＰスケジューラ
１５２  電子ＰＯＰクリエイタ
１５３  ＰＯＰデータベース
１５４  キャビネットデータベース
１５５  商品マスタ
２０  本部端末
３０  店舗端末
４０  ディスプレイ装置
【図１】
2015060072.tif 000003
【図２】
2015060072.tif 000004
【図３】
2015060072.tif 000005
【図４】
2015060072.tif 000006
【図５】
2015060072.tif 000007
【図６】
2015060072.tif 000008
【図７】
2015060072.tif 000009
【図８】
2015060072.tif 000010
【図９】
2015060072.tif 000011
【図１０】
2015060072.tif 000012